【手続補正書】
【提出日】平成17年7月19日(2005.7.19)
【手続補正１】
【補正対象書類名】明細書
【補正対象項目名】特許請求の範囲
【補正方法】変更
【補正の内容】
【特許請求の範囲】
【請求項１】
光記録媒体に、互いに長さの異なる複数種類の記録マークからなる群より選ばれた複数の記録マークを形成することによって、情報を記録する光記録媒体への情報記録方法であって、前記群に含まれる少なくとも一つの記録マークの形成に用いるレーザビームの基底パワーを、前記光記録媒体に記録された情報の再生に用いるレーザビームの再生パワーよりも高く設定し、かつ、前記光記録媒体に情報を記録するときのデータ転送レートが高くなるほど、前記記録マークの形成に用いるレーザビームの記録パワーを高くするともに、消去パワーを低く設定して、前記光記録媒体に情報を記録することを特徴とする光記録媒体への情報記録方法。
【請求項２】
前記基底パワーを前記消去パワーよりも低く設定して、前記光記録媒体に情報を記録することを特徴とする請求項１に記載の光記録媒体への情報記録方法。
【請求項３】
前記記録パワーと前記消去パワーとの比を、０．５以下に設定して、前記光記録媒体に情報を記録することを特徴とする請求項１または２に記載の光記録媒体への情報記録方法。
【請求項４】
前記記録パワーと前記消去パワーとの比を、０．３以下に設定して、前記光記録媒体に情報を記録することを特徴とする請求項３に記載の光記録媒体への情報記録方法。
【請求項５】
前記データ転送レートを７０Ｍｂｐｓ以上に設定して、前記光記録媒体に情報を記録することを特徴とする請求項１ないし４のいずれか１項に記載の光記録媒体への情報記録方法。
【請求項６】
前記データ転送レートを１４０Ｍｂｐｓ以上に設定して、前記光記録媒体に情報を記録することを特徴とする請求項５に記載の光記録媒体への情報記録方法。
【請求項７】
光記録媒体に、互いに長さの異なる複数種類の記録マークからなる群より選ばれた複数の記録マークを形成することによって、情報を記録する情報記録／再生装置であって、前記群に含まれる少なくとも一つの記録マークの形成に用いるレーザビームの基底パワーを、前記光記録媒体に記録された情報の再生に用いるレーザビームの再生パワーよりも高く設定し、かつ、前記光記録媒体に情報を記録するときのデータ転送レートが高くなるほど、前記記録マークの形成に用いるレーザビームの記録パワーを高くするともに、消去パワーを低く設定して、前記光記録媒体に情報を記録することを特徴とする情報記録／再生装置。
【請求項８】
前記基底パワーを前記消去パワーよりも低く設定して、前記光記録媒体に情報を記録することを特徴とする請求項７に記載の情報記録／再生装置。
【請求項９】
前記記録パワーと前記消去パワーとの比を、０．５以下に設定して、前記光記録媒体に情報を記録することを特徴とする請求項７または８に記載の情報記録／再生装置。
【請求項１０】
前記記録パワーと前記消去パワーとの比を、０．３以下に設定して、前記光記録媒体に情報を記録することを特徴とする請求項９に記載の情報記録／再生装置。
【請求項１１】
前記データ転送レートを７０Ｍｂｐｓ以上に設定して、前記光記録媒体に情報を記録することを特徴とする請求項７ないし１０のいずれか１項に記載の情報記録／再生装置。
【請求項１２】
前記データ転送レートを１４０Ｍｂｐｓ以上に設定して、前記光記録媒体に情報を記録することを特徴とする請求項１１に記載の情報記録／再生装置。
【請求項１３】
少なくとも記録層を有し、前記記録層に、互いに長さの異なる複数種類の記録マークからなる群より選ばれた複数の記録マークを形成することによって、情報を記録可能な光記録媒体であって、前記群に含まれる少なくとも一つの記録マークの形成に用いるレーザビームの基底パワーを、前記光記録媒体に記録された情報の再生に用いるレーザビームの再生パワーよりも高く設定し、かつ、前記光記録媒体に情報を記録するときのデータ転送レートが高くなるほど、前記記録マークの形成に用いるレーザビームの記録パワーを高くするともに、消去パワーを低く設定して、前記記録層に情報を記録するために必要な記録条件設定情報を有していることを特徴とする光記録媒体。
【請求項１４】
前記記録条件設定情報が、前記基底パワーを前記消去パワーよりも低く設定して、前記記録層に情報を記録するために必要な情報を含んでいることを特徴とする請求項１３に記載の光記録媒体。
【請求項１５】
前記記録条件設定情報が、前記記録パワーと前記消去パワーとの比を、０．５以下に設定して、前記記録層に情報を記録するために必要な情報を含んでいることを特徴とする請求項１３または１４に記載の光記録媒体。
【請求項１６】
前記記録条件設定情報が、前記記録パワーと前記消去パワーとの比を、０．３以下に設定して、前記記録層に情報を記録するために必要な情報を含んでいることを特徴とする請求項１５に記載の光記録媒体。
【手続補正２】
【補正対象書類名】明細書
【補正対象項目名】００１２
【補正方法】変更
【補正の内容】
【００１２】
【課題を解決するための手段】
本発明のかかる目的は、光記録媒体に、互いに長さの異なる複数種類の記録マークからなる群より選ばれた複数の記録マークを形成することによって、情報を記録する光記録媒体への情報記録方法であって、前記群に含まれる少なくとも一つの記録マークの形成に用いるレーザビームの基底パワーを、前記光記録媒体に記録された情報の再生に用いるレーザビームの再生パワーよりも高く設定し、かつ、データ転送レートが高くなるほど、前記記録マークの形成に用いるレーザビームの記録パワーを高くするともに、消去パワーを低く設定して、前記光記録媒体に情報を記録することを特徴とする光記録媒体への情報記録方法によって達成される。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
本発明においては、前記基底パワーを前記消去パワーよりも低く設定して、前記光記録媒体に情報を記録することが好ましい。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
本発明においては、前記記録パワーと前記消去パワーとの比を、０．５以下に設定して、前記光記録媒体に情報を記録することがさらに好ましい。
【手続補正７】
【補正対象書類名】明細書
【補正対象項目名】００１７
【補正方法】変更
【補正の内容】
【００１７】
本発明においては、前記記録パワーと前記消去パワーとの比を、０．３以下に設定して、前記光記録媒体に情報を記録することがさらに好ましい。
【手続補正８】
【補正対象書類名】明細書
【補正対象項目名】００１８
【補正方法】変更
【補正の内容】
【００１８】
本発明においては、前記データ転送レートを７０Ｍｂｐｓ以上に設定して、前記光記録媒体に情報を記録することがさらに好ましい。
【手続補正９】
【補正対象書類名】明細書
【補正対象項目名】００１９
【補正方法】変更
【補正の内容】
【００１９】
本発明においては、前記データ転送レートを１４０Ｍｂｐｓ以上に設定して、前記光記録媒体に情報を記録することがさらに好ましい。
【手続補正１０】
【補正対象書類名】明細書
【補正対象項目名】００２０
【補正方法】変更
【補正の内容】
【００２０】
本発明の前記目的はまた、光記録媒体に、互いに長さの異なる複数種類の記録マークからなる群より選ばれた複数の記録マークを形成することによって、情報を記録する情報記録／再生装置であって、前記群に含まれる少なくとも一つの記録マークの形成に用いるレーザビームの基底パワーを、前記光記録媒体に記録された情報の再生に用いるレーザビームの再生パワーよりも高く設定し、かつ、データ転送レートが高くなるほど、前記記録マークの形成に用いるレーザビームの記録パワーを高くするともに、消去パワーを低く設定して、前記光記録媒体に情報を記録することを特徴とする情報記録／再生装置によって達成される。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】変更
【補正の内容】
【００２６】
本発明の前記目的はまた、少なくとも記録層を有し、前記記録層に、互いに長さの異なる複数種類の記録マークからなる群より選ばれた複数の記録マークを形成することによって、情報を記録可能な光記録媒体であって、前記群に含まれる少なくとも一つの記録マークの形成に用いるレーザビームの基底パワーを、前記光記録媒体に記録された情報の再生に用いるレーザビームの再生パワーよりも高く設定し、かつ、データ転送レートが高くなるほど、前記記録マークの形成に用いるレーザビームの記録パワーを高くするともに、消去パワーを低く設定して、前記記録層に情報を記録するために必要な記録条件設定情報を有していることを特徴とする光記録媒体によって達成される。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】